(57)【要約】      （修正有）【課題】厨房で発生した油煙を収集し排出するレンジフードやそのファンにおいて汚染防止を可能とする技術を提供する。【解決手段】レンジフードに付属のファンＦの圧風の全部を排気ダクトＤに送り、その流れで、厨房で発生した油煙や汚れを、レンジフード外周の隙間から吸引し前記排気ダクトを経て廃棄する構造であるから、厨房で発生した油煙や汚れがファンを通過することは無く、従って、レンジフードに付属のファンが、厨房で発生した油煙や汚れで汚染されることはない。【選択図】図１
2020056562.tif 000002
【特許請求の範囲】
【請求項１】
レンジフードに付属のファンの圧風の全部を排気ダクトに送り、その流れで、厨房で発生し油煙や汚れを、レンジフード外周の隙間から吸引し前記排気ダクトを経て廃棄する構造であることを特徴とするレンジフードのファンの汚染防止構造。
【請求項２】
レレンジフードに付属のファンで発生た圧風の全部を排気ダクトに送り、その流れで、厨房で発生し油煙や汚れを、レンジフード外周の隙間から吸引して前記排気ダクトに送ることを特徴とするレンジフードのファンの汚染防止方法。
【請求項３】
ファンで発生した圧風の半分以上を片方のルートから排気ルートに送り、残りはもう一方のルートから整流ルートに送り、整流ルートを二つに分けて、片方は整流板の底板の下層に送り、もう一方は整流板の中板と前記底板との間の補助層に送り、この補助層から出た圧風はレンジフード外周の隙間から前記中板の上面を経て前記排気ルートに向けて噴出させることを特徴とするレンジフードの汚染防止方法。
【請求項４】
ファンで発生した圧風の半分以上を排気ルートに送風し、残りを整流ルートに送る仕切りを有し、整流ルートに送られた圧風を整流板の底板の下層に送る中央隙間を有し、整流板の中板と前記底板との間の補助層に送った圧風を、レンジフード外周に配設した隙間から前記中板の上面を経由して前記排気ルートに向けて噴出させる構造としたことを特徴とするレンジフードの汚染防止構造。
【請求項５】
前記中板の上に配設した天井壁と前記中板との間に１以上の筒状の圧風管を配設し、前記圧風管の存在しない空間から前記中板の上面を経由した圧風が前記排気ルートに向って送風される構造であることを特徴とする請求項４に記載のレンジフードの汚染防止構造。
【請求項６】
前記天井壁の外周は下向きに湾曲しており、前記底板の下層に向かって吸引された汚れは、前記湾曲の内側を経て、前記レンジフード外周の隙間から噴出した負圧で吸引される構造であることを特徴とする請求項４又は請求項５に記載のレンジフードの汚染防止構造。
【請求項７】
前記の圧風ルートを形成する１以上の圧風管を囲むようにフィルターを設けてあることを特徴とする請求項４、請求項５又は請求項６に記載のレンジフードの汚染防止構造。
【発明の詳細な説明】
【技術分野】
【０００１】
本発明は、厨房で発生した油煙を収集し排出するレンジフードやそのファンにおいて汚染防止を可能とする技術を実現する。
【０００２】
安価なレンジフードは、厨房で発生した油煙をファンで集めて排出するだけであるが、フィルターを設けて油や埃などを付着させ、清浄にした空気のみを排出する構成が普及している。さらに、油や埃がフィルターに蓄積されたら水で洗浄除去し、加えて特許文献１のようにマイクロ波を照射して油脂を軟化させ、洗浄を容易にする技術も知られている。しかしながら、油煙の油や埃はフィルターに限らず他の厨房設備にも付着するため、定期的に人手で掃除し清掃している。
【先行技術文献】
【特許文献】
【０００３】
【特許文献１】特開2017-58092号公報
【０００４】
特許文献１の技術では、油や埃がフィルターに付着して汚れたり効率が低下したら洗浄できるが、フィルター以外に付着した油や埃は除去できず、人手に頼るしかない。加えて、ファン自体の汚染は防止できない。
本発明は、油や埃がフィルター以外やファン自体にも付着しないで排出される技術を提案し、フィルター以外やファンの清掃を要しないレンジフードを実現する。
【発明の概要】
【発明が解決しようとする課題】
【０００５】
本発明の技術的課題は、このような問題に着目し、油や埃が厨房設備の壁面などやファンに付着したりすること無しに直接に排出される技術を提案し、人手に頼っていた厨房設備の清掃を要しないレンジフードを実現することにある。
【課題を解決するための手段】
【０００６】
本発明の技術的課は次のような手段によって解決される。請求項１は、レンジフードに付属のファンの圧風の全部を排気ダクトに送り、その流れで、厨房で発生し油煙や汚れを、レンジフード外周の隙間から吸引し前記排気ダクトを経て廃棄する構造であることを特徴とするレンジフードのファンの汚染防止構造である。
【０００７】
請求項２は、レレンジフードに付属のファンで発生た圧風の全部を排気ダクトに送り、その流れで、厨房で発生し油煙や汚れを、レンジフード外周の隙間から吸引して前記排気ダクトに送ることを特徴とするレンジフードのファンの汚染防止方法である。
【０００８】
請求項３は、ファンで発生した圧風の半分以上を片方のルートから排気ルートに送り、残りはもう一方のルートから整流ルートに送り、整流ルートを二つに分けて、片方は整流板の底板の下層に送り、もう一方は整流板の中板と前記底板との間の補助層に送り、この補助層から出た圧風はレンジフード外周の隙間から前記中板の上面を経て前記排気ルートに向けて噴出させることを特徴とするレンジフードの汚染防止方法である。
【０００９】
請求項４は、ファンで発生した圧風の半分以上を排気ルートに送風し、残りを整流ルートに送る仕切りを有し、整流ルートに送られた圧風を整流板の底板の下層に送る中央隙間を有し、整流板の中板と前記底板との間の補助層に送った圧風を、レンジフード外周に配設した隙間から前記中板の上面を経由して前記排気ルートに向けて噴出させる構造としたことを特徴とするレンジフードの汚染防止構造である。
【００１０】
請求項５は、前記中板の上に配設した天井壁と前記中板との間に１以上の筒状の圧風管を配設し、前記圧風管の存在しない空間から前記中板の上面を経由した圧風が前記排気ルートに向って送風される構造であることを特徴とする請求項４に記載のレンジフードの汚染防止構造である。
【００１１】
請求項６は、前記天井壁の外周は下向きに湾曲しており、前記底板の下層に向かって吸引された汚れは、前記湾曲の内側を経て、前記レンジフード外周の隙間から噴出した負圧で吸引される構造であることを特徴とする請求項４又は請求項５に記載のレンジフードの汚染防止構造である。
【００１２】
請求項７は、前記の圧風ルートを形成する１以上の圧風管を囲むようにフィルターを設けてあることを特徴とする請求項４、請求項５又は請求項６に記載のレンジフードの汚染防止構造である。
【発明の効果】
【００１３】
請求項１のように、レンジフードに付属のファンの圧風の全部を排気ダクトに送り、その流れで、厨房で発生し油煙や汚れを、レンジフード外周の隙間から吸引して排気ダクトに送る構造であるため、厨房で発生した油煙や汚れがファンを通過することは無く、従って、レンジフードに付属のファンが、厨房で発生し油煙や汚れで汚染されることはあり得ない。
【００１４】
請求項２のように、レレンジフードに付属のファンで発生た圧風の全部を排気ダクトに送り、その流れで、厨房で発生し油煙や汚れを、レンジフード外周の隙間から吸引して前記排気ダクトに送るので、厨房で発生した油煙や汚れがファンを通過することは無く、レンジフードに付属のファンが、厨房で発生した油煙や汚れで汚染されることはあり得ない。
【００１５】
請求項３のように、ファンで発生した圧風の半分以上を片方のルートから排気ルートに送り、もう一方のルートから整流ルートに送り、整流ルートを二つに分けて、片方は整流板の底板の下層に送り、もう一方は整流板の中板と前記底板との間の補助層に送り、この補助層から出た圧風はレンジフード外周の隙間から前記中板の上面を経て前記排気ルートに向けて噴出させるので、前記底板の下層に負圧で吸引された厨房の油や埃などの汚れは、前記補助層から噴出した負圧で排気ルートに送られて排出される。このように、負圧の空気流で排気ルートに送られて排出され、また負圧の層と底板や中板との間には空気の層が介在しているので、厨房から出た油や埃などの汚れがレンジフードの壁面などに付着する機会が存在しない。
【００１６】
請求項４のように、ファンで発生した圧風の半分以上が排気ルートに送風され、残りは整流ルートに流れるように仕切りを有し、整流ルートに送られた圧風を整流板の底板の下層に送る中央隙間を有し、整流板の中板と前記底板との間の補助層に送った圧風を、レンジフード外周に配設した隙間から前記中板の上面を経て前記排気ルートに向けて噴出させる構造であるため、厨房で発生した油煙などの汚れは、底板の下層に吸引され、次いでレンジフード外周の隙間による負圧で排気ルートに送られて排出されるので、厨房から出た汚れがレンジフードの壁面などに付着することができない。
【００１７】
請求項５のように、前記中板の上に配設した天井壁と前記中板との間に配設した１以上の圧風管の存在しない空間から前記排気ルートに向って噴流が通過するので、厨房から出た汚れがレンジフードの壁面などに付着すること無しに、排出される。
【００１８】
請求項６のように、前記天井壁の外周は下向きに湾曲しており、前記底板の下層に向かって吸引された汚れは、前記湾曲の内側を通って、前記レンジフード外周の隙間から噴出した負圧の流れで前記排気ルートに流れ、排気される。
【００１９】
請求項７のように、前記の圧風管が形成する１以上の筒状体を囲むようにフィルターを設けてあるので、このフィルターで初めて、厨房から出た汚れが付着し、フィルターと共に廃棄される。
【図面の簡単な説明】
【００２０】
【図１】本発明によるレンジフードのファンの汚染防止技術を示す断面図で、ファンの正面方向から見ている。
【図２】本発明によるレンジフードの汚染防止技術を示す断面図で、ファンの正面方向から見ている。
【図３】図２の整流板の下部中央吹きだし部を示す拡大図である。
【図４】レンジフード外周の中央向け吹きだし部を示す拡大図である。
【図５】図２のレンジフードの側面図である。
【図６】図５のファンから出た圧風の流れを示す断面図である。
【図７】整流板の全容を示す上方斜視図である。
【図８】図７の整流板の平面図である。
【図９】フィルターの取付け位置を示す断面図である。
【発明を実施するための形態】
【００２１】
次に本発明によるレンジフードの汚染防止技術が実際上どのように具体化されるか実施形態で説明する。図１は本発明によるレンジフードの正面断面図であり、ファンＦの回転羽根と排気ダクトＤが現れている。このファンＦは排気ダクトＤ専用であり、発生した圧風は専ら排気ダクトＤへガイドＡで排気方向に向けて送風される。そのため、ケーシングＣで外周が囲まれ、出口Ｗを残して他を閉鎖している。天板１と略平行に底板２を有している。この底板２の外周に設けた下向きの隙間Ｇをおいて、前記の天板１を有している。そのため、厨房で発生した油煙や汚れは、ファンＦから発生した排気ダクトＤの空気流に引かれて上昇し、底板２の外周の隙間Ｇから吸い上げられて、排気ダクトＤに導かれ、外部に排気される。従って、厨房で発生した油煙や汚れは、前記隙間Ｇから専ら排気ダクトＤへ導かれて外部に排気されるので、ファンＦを通過することは無く、ファンＦが汚染されることも無い。
【００２２】
図２は本発明によるレンジフードの正面断面図で、ファンＦはケーシングＣで外周が囲まれ、出口Ｗから圧風が出る。このファンＦの下側に、天井壁１、本発明の底板３及び中板５から成る整流板を備え、中央に排煙用の排出口４を有している。以下、圧風の流れに沿って説明する。ファンＦから出た圧風は出口Ｗを出て２分され、排気ダクトＤに送風するＡルートと、整流板に送風するＢルートに分かれる。ファンＦから噴出された圧風は風量が多く、風速も早いので、排気ダクトＤの付近は負圧となり、排気口４に集められた油煙を勢いよく吸い出し、油煙出口４へと送り出される。
【００２３】
排煙風圧供給筒Ｄ１へ流れるＡルートと整流用圧風供給筒11へ流れるＢルートの２つに分かれるが、まず、整流用の圧風はＢルートを通過する際にコネクション部10を経て、圧風供給筒11を通過し、整流室Ｒに内に入る。整流室Ｒに入った圧風は、図３のように整流板の下面中央に有る中央吹出隙間６から四八方に放出し、図４のように整流板の外周縁に設けた外周吹き出し隙間７から中央向きに噴出され、排気ダクトＤに収束する。前記の中央吹出口６のガイド蓋12と整流底板３とは平行である。なお、吹出口６の隙間は1.0 ｍｍ〜 1.5ｍｍである。
【００２４】
図４のように前記底板３の外周が上向きに湾曲し、その先端８が水平に内向きに曲がって、整流板中板５の外周との間に互いに平行な隙間７が形成されている。この隙間７も1.0 ｍｍ〜１.5ｍｍである。隙間６、７から噴出される風量は小さいが、風速が速いので、回りの油煙などの汚れを引き込んで、排気ダクトＤに送出する。このような増速が円滑となるように整流が行われる。
【００２５】
また、底板３下面の負圧の風は油煙を迅速に吸引してフード外周開口９へ運び、中板５上面と水平端８間の水平隙間７で発生された負圧の風が油煙などの汚れを迅速に中央の排気ダクトＤへ運ぶ。なお、底板３の下面や中板５の上面に空気の膜が介在するため、油煙などの汚れが付着することはない。
【００２６】
図５は、本発明のレンジフードの側面図で、ファンＦの側面が図示されている。図６は、図５の下部の整流板の拡大図である。ファンＦから出た圧風の流れる経路は図２と同じであり、ファンＦから出た圧風は、ＡルートとＢルートとに分かれて、Ａルートは排気ダクトＤ１に送風され、Ｂルートは、圧風供給筒11を通り、整流室Ｒに内に入る。整流室Ｒに入った圧風は、図６のように整流器Ｒの下面中央に有る中央隙間６から底板３下面に高速で噴出されるので、負圧で周りの油煙などの汚れが引き込まれる。底板３と中板５間に吹き込まれた圧風は、整流板の外周縁に設けた外周隙間７から中央に向けて噴出され、負圧となる。そして、底板３下側の汚染層を吸い込んで、中央の排気ダクトＤに送出する。
ファンＦの下側のレンジフード面積が小さいので、整流板を形成する寸法も短く形成される。
【００２７】
図７は、整流装置の全容を示す上方斜視図、図８は平面図であり、中央に４本の圧風供給筒11が立っている。この圧風供給筒11の中をファン出口Ｗから降下した圧風は底板３下面に吸引された油煙を、レンジフード外周の隙間７から矢印のように圧風供給筒11の間の空間から中央の排気ダクトＤに移送される。
【００２８】
この圧風供給筒11の付近に油煙などの汚れが集まるので、図９のように、圧風供給筒11を取り囲むように鎖線で示すフィルターｆを配設してある。フィルターｆを筒状に形成した場合、外面下部に油受けを溝状に設けて、液状の油を回収できる構造にしてある。なお、ファンＦから出た圧風の割合は、排気口80％、整流器20％程度を想定している。
【産業上の利用可能性】
【００２９】
以上のように、レンジフードに付属のファンから出た圧風の全部を排気ダクトに送り、その流れで１厨房で発生し油煙や汚れを、レンジフード外周の隙間から吸引して排気ダクトに送る構造であるため、厨房で発生した油煙や汚れがファンを通過することは無く、従って、レンジフードに付属のファンが、厨房で発生し油煙や汚れで汚染されることはあり得ない。
【符号の説明】
【００３０】
Ｆ  ファン
１  フード天板
２  整流板
３  整流底板下
４  油煙出口
5   整流板上面
6   整流板下面吹出口
7   整流板外周縁吹出口
9   フード外周開口部
10  コネクション部
11  圧風供給筒
８  湾曲先端
Ｇ  下向き隙間
Ｄ  排気ダクト
ＤＳ  排煙ダクト
ｆ  フィルター（濾過器）
【図１】
2020056562.tif 000003
【図２】
2020056562.tif 000004
【図３】
2020056562.tif 000005
【図４】
2020056562.tif 000006
【図５】
2020056562.tif 000007
【図６】
2020056562.tif 000008
【図７】
2020056562.tif 000009
【図８】
2020056562.tif 000010
【図９】
2020056562.tif 000011
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
ファンで発生した圧風の半分以上を片方のルートから排気ルートに送り、残りはもう一方のルートから整流ルートに２分して送風し、整流ルートを二つに分けて、片方は整流板の底板の下層に送り、もう一方は整流板の中板と前記底板との間の補助層に送り、この補助層から出た圧風はレンジフード外周の隙間から前記中板の上面を経て前記排気ルートに向けて噴出させることを特徴とするレンジフードの汚染防止方法。
【請求項２】
ファンを囲んだケーシングの出口と排気ダクトと整流板との間に配設された仕切りてあって、ファンで発生し前記出口から出た圧風を２分して半分以上を排気ルートに送風し、残りを整流ルートに送風して、整流ルートに送られた圧風を整流板の底板の下層に送る中央隙間を有し、整流板の中板と前記底板との間の補助層に送った圧風を、レンジフード外周に配設した隙間から前記中板の上面を経由して前記排気ルートに向けて噴出させる構造としたことを特徴とするレンジフードの汚染防止構造。
【請求項３】
ファンで発生し前記ケーシングの出口から出た圧風を整流ルートに送る１以上の圧風管を囲むようにフィルターを設けてあることを特徴とする請求項２に記載のレンジフードの汚染防止構造。
【請求項４】
前記中板の上に配設した天井壁の上側から前記中板の下側に送風する１以上の圧風管を配設し、前記圧風管の存在しない空間から前記中板の上面を経由した圧風が前記排気ルートに向って送風される構造であることを特徴とする請求項２又は請求項３に記載のレンジフードの汚染防止構造。
【請求項５】
前記天井壁の外周は下向きに湾曲しており、前記底板の下層に向かって吸引された汚れは、前記湾曲の内側を経て、前記レンジフード外周の隙間から噴出した負圧で吸引される構造であることを特徴とする請求項４に記載のレンジフードの汚染防止構造。
【手続補正２】
【補正対象書類名】明細書
【補正対象項目名】全文
【補正方法】変更
【補正の内容】
【発明の詳細な説明】
【技術分野】
【０００１】
本発明は、厨房で発生した油煙を収集し排出するレンジフードやそのファンにおいて汚染防止を可能とする技術を実現する。
【０００２】
安価なレンジフードは、厨房で発生した油煙をファンで集めて排出するだけであるが、フィルターを設けて油や埃などを付着させ、清浄にした空気のみを排出する構成が普及している。さらに、油や埃がフィルターに蓄積されたら水で洗浄除去し、加えて特許文献１のようにマイクロ波を照射して油脂を軟化させ、洗浄を容易にする技術も知られている。しかしながら、油煙の油や埃はフィルターに限らず他の厨房設備にも付着するため、定期的に人手で掃除し清掃している。
【先行技術文献】
【特許文献】
【０００３】
【特許文献１】特開2017-58092号公報
【０００４】
特許文献１の技術では、油や埃がフィルターに付着して汚れたり効率が低下したら洗浄できるが、フィルター以外に付着した油や埃は除去できず、人手に頼るしかない。加えて、ファン自体の汚染は防止できない。
本発明は、油や埃がフィルター以外やファン自体にも付着しないで排出される技術を提案し、フィルター以外やファンの清掃を要しないレンジフードを実現する。
【発明の概要】
【発明が解決しようとする課題】
【０００５】
本発明の技術的課題は、このような問題に着目し、油や埃が厨房設備の壁面などやファンに付着したりすること無しに直接に排出される技術を提案し、人手に頼っていた厨房設備の清掃を要しないレンジフードを実現することにある。
【課題を解決するための手段】
【０００６】
本発明の技術的課は次のような手段によって解決される。請求項１は、ファンで発生した圧風の半分以上を片方のルートから排気ルートに送り、残りはもう一方のルートから整流ルートに２分して送風し、整流ルートを二つに分けて、片方は整流板の底板の下層に送り、もう一方は整流板の中板と前記底板との間の補助層に送り、この補助層から出た圧風はレンジフード外周の隙間から前記中板の上面を経て前記排気ルートに向けて噴出させることを特徴とするレンジフードの汚染防止方法である。
【０００７】
請求項２は、ファンを囲んだケーシングの出口と排気ダクトと整流板との間に配設された仕切りてあって、ファンで発生し前記出口から出た圧風を２分して半分以上を排気ルートに送風し、残りを整流ルートに送風して、整流ルートに送られた圧風を整流板の底板の下層に送る中央隙間を有し、整流板の中板と前記底板との間の補助層に送った圧風を、レンジフード外周に配設した隙間から前記中板の上面を経由して前記排気ルートに向けて噴出させる構造としたことを特徴とするレンジフードの汚染防止構造である。
【０００８】
請求項３は、ファンで発生し前記ケーシングの出口から出た圧風を整流ルートに送る１以上の圧風管を囲むようにフィルターを設けてあることを特徴とする請求項２に記載のレンジフードの汚染防止構造である。
【０００９】
請求項４は、前記中板の上に配設した天井壁の上側から前記中板の下側に送風する１以上の圧風管を配設し、前記圧風管の存在しない空間から前記中板の上面を経由した圧風が前記排気ルートに向って送風される構造であることを特徴とする請求項２又は請求項３に記載のレンジフードの汚染防止構造である。
【００１０】
請求項５は、前記天井壁の外周は下向きに湾曲しており、前記底板の下層に向かって吸引された汚れは、前記湾曲の内側を経て、前記レンジフード外周の隙間から噴出した負圧で吸引される構造であることを特徴とする請求項４に記載のレンジフードの汚染防止構造である。
【発明の効果】
【００１１】
請求項１のように、ファンで発生した圧風の半分以上を片方のルートから排気ルートに送り、残りはもう一方のルートから整流ルートに送風し、整流ルートを二つに分けて、片方は整流板の底板の下層に送り、もう一方は整流板の中板と前記底板との間の補助層に送り、この補助層から出た圧風はレンジフード外周の隙間から前記中板の上面を経て前記排気ルートに向けて噴出させるため、厨房で発生した油煙や汚れがファンを通過することは無く、従って、レンジフードに付属のファンが、厨房で発生した油煙や汚れで汚染されることはあり得ない。
【００１２】
請求項２のように、ファンを囲んだケーシングの出口と排気ダクトと整流板との間に配設された仕切りてあって、ファンで発生し出口から出た圧風を２分して半分以上を排気ルートに送風し、残りを整流ルートに送風して、整流ルートに送られた圧風を整流板の底板の下層に送る中央隙間を有し、整流板の中板と前記底板との間の補助層に送った圧風を、レンジフード外周に配設した隙間から前記中板の上面を経由して前記排気ルートに向けて噴出させる構造としたので、付属のファンが、厨房で発生した油煙や汚れで汚染されることはあり得ない。
【００１３】
請求項３のように、ファンで発生し出口から出た圧風を整流ルートに送る１以上の圧風管を囲むようにフィルターを設けてあるので、このフィルターで初めて、厨房から出た汚れが付着し、フィルターと共に廃棄される。
【００１４】
請求項４のように、前記中板の上に配設した天井壁の上側から前記中板の下側に送風する１以上の圧風管を配設し、前記圧風管の存在しない空間から前記中板の上面を経由した圧風が前記排気ルートに向って送風される構造であるため、厨房で発生した油煙などの汚れは、底板の下層に吸引され、次いでレンジフード外周の隙間による負圧で排気ルートに送られて排出され、厨房から出た汚れがレンジフードの壁面などに付着することはできない。
【００１５】
請求項５のように、前記天井壁の外周は下向きに湾曲しており、前記底板の下層に向かって吸引された汚れは、前記湾曲の内側を経て、前記レンジフード外周の隙間から噴出した負圧で吸引される構造であるため、圧風供給筒11の中をファン出口Ｗから降下した圧風は底板３下面に吸引された油煙を、レンジフード外周の隙間７から矢印のように圧風供給筒11の間の空間から中央の排気ダクトＤに移送される。
【図面の簡単な説明】
【００１６】
【図１】本発明によるレンジフードのファンの汚染防止技術を示す断面図で、ファンの正面方向から見ている。
【図２】本発明によるレンジフードの汚染防止技術を示す断面図で、ファンの正面方向から見ている。
【図３】図２の整流板の下部中央吹きだし部を示す拡大図である。
【図４】レンジフード外周の中央向け吹きだし部を示す拡大図である。
【図５】図２のレンジフードの側面図である。
【図６】図５のファンから出た圧風の流れを示す断面図である。
【図７】整流板の全容を示す上方斜視図である。
【図８】図７の整流板の平面図である。
【図９】フィルターの取付け位置を示す断面図である。
【発明を実施するための形態】
【００１７】
次に本発明によるレンジフードの汚染防止技術が実際上どのように具体化されるか実施形態で説明する。図１は本発明によるレンジフードの正面断面図であり、ファンＦの回転羽根と排気ダクトＤが現れている。このファンＦは排気ダクトＤ専用であり、発生した圧風は専ら排気ダクトＤへガイドＡで排気方向に向けて送風される。そのため、ケーシングＣで外周が囲まれ、出口Ｗを残して他を閉鎖している。天板１と略平行に底板２を有している。この底板２の外周に設けた下向きの隙間Ｇをおいて、前記の天板１を有している。そのため、厨房で発生した油煙や汚れは、ファンＦから発生した排気ダクトＤの空気流に引かれて上昇し、底板２の外周の隙間Ｇから吸い上げられて、排気ダクトＤに導かれ、外部に排気される。従って、厨房で発生した油煙や汚れは、前記隙間Ｇから専ら排気ダクトＤへ導かれて外部に排気されるので、ファンＦを通過することは無く、ファンＦが汚染されることも無い。
【００１８】
図２は本発明によるレンジフードの正面断面図で、ファンＦはケーシングＣで外周が囲まれ、出口Ｗから圧風が出る。このファンＦの下側に、天井壁１、本発明の底板３及び中板５から成る整流板を備え、中央に排煙用の排出口４を有している。以下、圧風の流れに沿って説明する。ファンＦから出た圧風は出口Ｗを出て断面形状が横向きＴ字状の仕切りで２分され、前記仕切りの上側を排気ダクトＤに送風するＡルートと、前記仕切りの下側を整流板に送風するＢルートに分かれる。ファンＦから噴出された圧風は風量が多く、風速も早いので、排気ダクトＤの付近は負圧となり、排気口４に集められた油煙を勢いよく吸い出し、油煙出口４へと送り出される。
【００１９】
排煙風圧供給筒Ｄ１へ流れるＡルートと整流用圧風供給筒11へ流れるＢルートの２つに分かれるが、まず、整流用の圧風はＢルートを通過する際にコネクション部10を経て、圧風供給筒11を通過し、整流室Ｒに内に入る。整流室Ｒに入った圧風は、図３のように整流板の下面中央に有る中央吹出隙間６から四八方に放出し、図４のように整流板の外周縁に設けた外周吹き出し隙間７から中央向きに噴出され、排気ダクトＤに収束する。前記の中央吹出口６のガイド蓋12と整流底板３とは平行である。なお、吹出口６の隙間は1.0 ｍｍ〜1.5 ｍｍである。
【００２０】
図４のように前記底板３の外周が上向きに湾曲し、その先端８が水平に内向きに曲がって、整流板中板５の外周との間に互いに平行な隙間７が形成されている。この隙間７も1.0 ｍｍ〜１.5ｍｍである。隙間６、７から噴出される風量は小さいが、風速が速いので、回りの油煙などの汚れを引き込んで、排気ダクトＤに送出する。このような増速が円滑となるように整流が行われる。
【００２１】
また、底板３下面の負圧の風は油煙を迅速に吸引してフード外周開口９へ運び、中板５上面と水平端８間の水平隙間７で発生された負圧の風が油煙などの汚れを迅速に中央の排気ダクトＤへ運ぶ。なお、底板３の下面や中板５の上面に空気の膜が介在するため、油煙などの汚れが付着することはない。
【００２２】
図５は、本発明のレンジフードの側面図で、ファンＦの側面が図示されている。図６は、図５の下部の整流板の拡大図である。ファンＦから出た圧風の流れる経路は図２と同じであり、ファンＦから出た圧風は、ＡルートとＢルートとに分かれて、Ａルートは排気ダクトＤ１に送風され、Ｂルートは、圧風供給筒11を通り、整流室Ｒ内に入る。整流室Ｒに入った圧風は、図６のように整流器Ｒの下面中央に有る中央隙間６から底板３下面に高速で噴出されるので、負圧で周りの油煙などの汚れが引き込まれる。底板３と中板５間に吹き込まれた圧風は、整流板の外周縁に設けた外周隙間７から中央に向けて噴出され、負圧となる。そして、底板３下側の汚染層を吸い込んで、中央の排気ダクトＤに送出する。
ファンＦの下側のレンジフード面積が小さいので、整流板を形成する寸法も短く形成される。
【００２３】
図７は、整流装置の全容を示す上方斜視図、図８は平面図であり、中央に４本の圧風供給筒11が立っている。この圧風供給筒11の中をファン出口Ｗから降下した圧風は底板３下面に吸引された油煙を、レンジフード外周の隙間７から矢印のように圧風供給筒11の間の空間から中央の排気ダクトＤに移送される。
【００２４】
この圧風供給筒11の付近に油煙などの汚れが集まるので、図９のように、圧風供給筒11を取り囲むように鎖線で示すフィルターｆを配設してある。フィルターｆを筒状に形成した場合、外面下部に油受けを溝状に設けて、液状の油を回収できる構造にしてある。なお、ファンＦから出た圧風の割合は、排気口80％、整流器20％程度を想定している。
【産業上の利用可能性】
【００２５】
以上のように、レンジフードに付属のファンから出た圧風の全部を排気ダクトに送り、その流れで１厨房で発生し油煙や汚れを、レンジフード外周の隙間から吸引して排気ダクトに送る構造であるため、厨房で発生した油煙や汚れがファンを通過することは無く、従って、レンジフードに付属のファンが、厨房で発生し油煙や汚れで汚染されることはあり得ない。
【符号の説明】
【００２６】
Ｆ  ファン
１  フード天板
２  整流板
３  整流底板下
４  油煙出口
5   整流板上面
6   整流板下面吹出口
7   整流板外周縁吹出口
9   フード外周開口部10  コネクション部
11  圧風供給筒
８  湾曲先端
Ｇ  下向き隙間
Ｄ  排気ダクト
ＤＳ  排煙ダクト
ｆ  フィルター（濾過器）